(57)【特許請求の範囲】
【請求項１】
文字入力手段と、
この文字入力手段により入力された文字を表示部に表示させる入力文字表示制御手段と、
前記文字入力手段により入力された文字に対応した変換候補の語を前記表示部に表示させる候補表示制御手段と、
前記候補表示制御手段により表示された変換候補の語がユーザ操作に応じて選択された際に、当該選択された語を前記入力文字表示制御手段により前記表示部に表示された文字に代えて表示させる変換語表示制御手段と、
前記候補表示制御手段により表示された変換候補の語がユーザ操作に応じて指定された際に、当該指定の語に対応した類義語を前記表示部に表示させる類義語表示制御手段と、
この類義語表示制御手段により表示された類義語がユーザ操作に応じて選択された際に、当該選択された類義語を前記入力文字表示制御手段により前記表示部に表示された文字に代えて表示させる変換類義語表示制御手段と、
前記候補表示制御手段により表示された変換候補の語がユーザ操作に応じて選択された際には当該選択された語を、前記類義語表示制御手段により表示された類義語がユーザ操作に応じて選択された際には当該選択された類義語を、それぞれ変換履歴として記憶する変換履歴記憶手段と、
この変換履歴記憶手段により記憶された語、類義語に基づいて、当該語に対応した類義語を取得する類義語取得手段とを備え、
前記類義語表示制御手段は、前記候補表示制御手段により表示された変換候補の語がユーザ操作に応じて指定された際に、当該指定の語に対応した類義語を前記類義語取得手段により取得された類義語の中から読み出して前記表示部に表示させる、
ことを特徴とする文字入力装置。
【請求項２】
前記類義語表示制御手段は、前記候補表示制御手段により表示された変換候補の語がユーザ操作に応じて指定された際に、当該指定の語に対応した類義語を、前記変換候補の表示エリア内にウインドウにして表示させる、
ことを特徴とする請求項１に記載の文字入力装置。
【請求項３】
前記候補表示制御手段は、入力された文字に対して予測変換を行い、予測変換候補の語を前記表示部に表示させることを特徴とする請求項１または請求項２に記載の文字入力装置。
【請求項４】
文字入力手段と表示部を有する電子機器のコンピュータを制御するためのプログラムであって、
前記コンピュータを、
前記文字入力手段により入力された文字を表示部に表示させる入力文字表示制御手段、
前記文字入力手段により入力された文字に対応した変換候補の語を前記表示部に表示させる候補表示制御手段、
前記候補表示制御手段により表示された変換候補の語がユーザ操作に応じて選択された際に、当該選択された語を前記入力文字表示制御手段により前記表示部に表示された文字に代えて表示させる変換語表示制御手段、
前記候補表示制御手段により表示された変換候補の語がユーザ操作に応じて指定された際に、当該指定の語に対応した類義語を前記表示部に表示させる類義語表示制御手段、
この類義語表示制御手段により表示された類義語がユーザ操作に応じて選択された際に、当該選択された類義語を前記入力文字表示制御手段により前記表示部に表示された文字に代えて表示させる変換類義語表示制御手段、
前記候補表示制御手段により表示された変換候補の語がユーザ操作に応じて選択された際には当該選択された語を、前記類義語表示制御手段により表示された類義語がユーザ操作に応じて選択された際には当該選択された類義語を、それぞれ変換履歴として記憶する変換履歴記憶手段、
この変換履歴記憶手段により記憶された語、類義語に基づいて、当該語に対応した類義語を取得する類義語取得手段、
として機能させ、
前記類義語表示制御手段は、前記候補表示制御手段により表示された変換候補の語がユーザ操作に応じて指定された際に、当該指定の語に対応した類義語を前記類義語取得手段により取得された類義語の中から読み出して前記表示部に表示させるようにした、コンピュータ読み込み可能なプログラム。
【請求項５】
前記類義語表示制御手段は、前記候補表示制御手段により表示された変換候補の語がユーザ操作に応じて指定された際に、当該指定の語に対応した類義語を、前記変換候補の表示エリア内にウインドウにして表示させる、
ことを特徴とする請求項４に記載のコンピュータ読み込み可能なプログラム。
【請求項６】
前記候補表示制御手段は、入力された文字に対して予測変換を行い、予測変換候補の語を前記表示部に表示させる、ことを特徴とする請求項４または請求項５に記載のコンピュータ読み込み可能なプログラム。
【発明の詳細な説明】
【技術分野】
【０００１】
本発明は、文章等の作成に伴い文字を入力するための文字入力装置、プログラムに関する。
【背景技術】
【０００２】
パーソナルコンピュータ、携帯電話、タブレット端末などの情報端末装置では、任意の文章を作成するための文字入力処理を司るアプリケーションプログラムが搭載されている。そして、この文字入力処理プログラムには、キーボードから入力された文字から次に入力される文字を予測して候補文字を表示する予測変換機能が備えられている。
【０００３】
予測変換機能を備えた従来の文字入力装置であって、テレビジョン放送等、任意のアプリケーションプログラムの起動中に文字が入力されると、入力された文字に対応する変換候補のうち、当該起動中のアプリケーションの内容に関係する変換候補を優先的に読み出して表示する文字入力装置が考えられている（例えば、特許文献１参照。）。
【先行技術文献】
【特許文献】
【０００４】
【特許文献１】特開２００６−３０１６９３号公報
【発明の概要】
【発明が解決しようとする課題】
【０００５】
従来の文字入力装置における予測変換機能は、入力された文字と一致あるいは先頭一致する辞書データの中の文字や単語を変換候補として表示するものであるが、変換候補として用意されている単語は一般的な意味で使用されるものが主なため、作成したい文章を普段と変わった言い回しや違った表現にしたいときには、使用したい変換候補が見当たらないことがある。
【０００６】
本発明は、このような課題に鑑みてなされたもので、文字入力に応じて予測変換する際に、類義語も変換候補として表示させることが可能になる文字入力装置、プログラムを提供することを目的とする。
【課題を解決するための手段】
【０００７】
本発明に係る文字入力装置は、文字入力手段と、この文字入力手段により入力された文字を表示部に表示させる入力文字表示制御手段と、前記文字入力手段により入力された文字に対応した変換候補の語を前記表示部に表示させる候補表示制御手段と、前記候補表示制御手段により表示された変換候補の語がユーザ操作に応じて選択された際に、当該選択された語を前記入力文字表示制御手段により前記表示部に表示された文字に代えて表示させる変換語表示制御手段と、前記候補表示制御手段により表示された変換候補の語がユーザ操作に応じて指定された際に、当該指定の語に対応した類義語を前記表示部に表示させる類義語表示制御手段と、この類義語表示制御手段により表示された類義語がユーザ操作に応じて選択された際に、当該選択された類義語を前記入力文字表示制御手段により前記表示部に表示された文字に代えて表示させる変換類義語表示制御手段と、前記候補表示制御手段により表示された変換候補の語がユーザ操作に応じて選択された際には当該選択された語を、前記類義語表示制御手段により表示された類義語がユーザ操作に応じて選択された際には当該選択された類義語を、それぞれ変換履歴として記憶する変換履歴記憶手段と、この変換履歴記憶手段により記憶された語、類義語に基づいて、当該語に対応した類義語を取得する類義語取得手段とを備え、前記類義語表示制御手段は、前記候補表示制御手段により表示された変換候補の語がユーザ操作に応じて指定された際に、当該指定の語に対応した類義語を前記類義語取得手段により取得された類義語の中から読み出して前記表示部に表示させる、ことを特徴としている。
【発明の効果】
【０００８】
本発明によれば、文字入力に応じて予測変換する際に、類義語も変換候補として表示させることが可能になる。
【図面の簡単な説明】
【０００９】
【図１】本発明の文字入力装置の実施形態に係るタブレット端末１０を使用した文字入力システムの構成を示す図。
【図２】前記タブレット端末１０の電子回路の構成を示すブロック図。
【図３】前記タブレット端末１０に記憶される変換履歴データベース１３ｃの内容を示す図。
【図４】前記タブレット端末１０に記憶される類義語変換テーブル１３ｃの内容を示す図。
【図５】前記文字入力システムにおけるタブレット端末１０と外部の類義語辞書サーバ３０あるいは電子辞書２０との間での類義語取得処理を示すフローチャート。
【図６】前記タブレット端末１０による文章入力処理を示すフローチャート。
【図７】前記タブレット端末１０の文章入力処理に伴う文字入力画面１１ａでの表示動作を示す図。
【発明を実施するための形態】
【００１０】
以下図面により本発明の実施の形態について説明する。
【００１１】
図１は、本発明の文字入力装置の実施形態に係るタブレット端末１０を使用した文字入力システムの構成を示す図である。
【００１２】
図２は、前記タブレット端末１０の電子回路の構成を示すブロック図である。
【００１３】
文字入力システムは、ユーザによって操作されるタブレット端末１０を備え、このタブレット端末１０には、必要に応じて無線通信部１６を介してネットワークＮ上のＷｅｂサーバ（ここでは類義語辞書サーバ）３０が接続され、また、有線通信部１５を介して電子辞書２０が接続される。
【００１４】
例えば電子メールの文章を作成するための文字入力処理において、タッチパネル付き表示部１１に文字入力画面１１ａが表示された状態で、当該文字入力画面１１ａがユーザによりワンタッチされるなどして文字の入力が指示されると、この文字入力画面１１ａの下にひらがなやアルファベットによる入力キーボード（ソフトキーボード）１１ｂが表示される。
【００１５】
入力キーボード１１ｂのタッチ操作によりユーザ任意の文字が入力されると、入力された文字そのものが文字入力画面１１ａに未確定文字として表示されると共に、当該入力された文字に応じた変換候補の文字が、文字入力画面１１ａと入力キーボード１１ｂとの間の候補表示エリア１１ｃとして表示される。
【００１６】
なお、前記電子辞書２０や類義語辞書サーバ３０は、タブレット端末１０の辞書データベース１３ｂには集録されていない類義語の辞書データを利用するために接続される。
【００１７】
タブレット端末１０の電子回路には、コンピュータとしてのＣＰＵ１２が備えられる。
【００１８】
ＣＰＵ１２は、記憶装置１３に予め記憶された端末制御プログラム１３ａ、あるいはメモリカードなどの外部記録媒体１４から記録媒体読取部１５を介して記憶装置１３に読み込まれた端末制御プログラム、あるいは無線通信部１６を介してインターネットなどの通信ネットワークＮ上に開設されたＷｅｂサーバ（この場合はプログラムサーバ）３０からダウンロードされ記憶装置１３に読み込まれた端末制御プログラム、あるいは有線通信部１７を介して外部の情報機器から記憶装置１３に読み込まれた端末制御プログラムに従い、ＲＡＭ１８をワークメモリとして回路各部の動作を制御する。
【００１９】
前記記憶装置１３に記憶される端末制御プログラム１３ａとしては、端末全体の制御を司るシステムプログラムの他に、メール処理、テーブル処理、画像・音声のマルチメディア処理など、各種の処理を司るアプリケーションプログラムが記憶される。なお、各種のアプリケーションプログラムに備えられる文字入力機能は、本実施形態において説明する予測変換機能を伴い動作する。
【００２０】
前記記憶装置１３には、辞書データベース１３ｂ、変換履歴データベース１３ｃ、類義語変換テーブル１３ｄなどが記憶される。
【００２１】
前記辞書データベース１３ｂには、国語辞典、英和辞典、和英辞典等の基本辞書データが記憶されるもので、各辞書データは、それぞれその見出し語（単語）と当該見出し語に対応した説明情報とを対応付けて記憶される。
【００２２】
図３は、前記タブレット端末１０に記憶される変換履歴データベース１３ｃの内容を示す図である。
【００２３】
この変換履歴データベース１３ｃには、文章等の作成に伴う文字入力処理において、前記候補表示エリア１１ｃに表示された変換候補の文字の中から変換文字として選択された単語とその選択回数とが対応付けられて記憶される。
【００２４】
図４は、前記タブレット端末１０に記憶される類義語変換テーブル１３ｃの内容を示す図である。
【００２５】
この類義語変換テーブル１３ｄには、前記変換履歴データベース１３ｃに記憶された単語のうち、変換文字として選択された回数が所定回数（例えば２回）以上の単語に対応付けられて、当該単語に対応した類義語が、例えば外部の電子辞書２０に集録された類義語辞書やネットワークＮ上の類義語辞書サーバ３０から読み出されて記憶される。
【００２６】
前記ＲＡＭ１８には、表示データメモリ１８ａ、文章データメモリ１８ｂが備えられる。
【００２７】
表示データメモリ１８ａには、前記各種のアプリケーションプログラムに従い生成された、前記タッチパネル付き表示部１１に表示させるべき表示データが記憶される。
【００２８】
文章データメモリ１８ｂには、前記各種のアプリケーションプログラムに備えられる文字入力機能に従い前記文字入力画面１１ａに入力、表示されて生成された文章データが記憶される。
【００２９】
このように構成された文字入力システムのタブレット端末１０は、前記ＣＰＵ１１が当該端末制御プログラム１３ａに記述された各種の処理の命令に従い回路各部の動作を制御し、ソフトウエアとハードウエアとが協働して動作することにより、以下の動作説明で述べる文字入力機能を実現する。
【００３０】
次に、前記構成の文字入力システムによるタブレット端末１０の動作について説明する。
【００３１】
図５は、前記文字入力システムにおけるタブレット端末１０と外部の類義語辞書サーバ３０あるいは電子辞書２０との間での類義語取得処理を示すフローチャートである。
【００３２】
この類義語取得処理は、タブレット端末（文字入力装置）１０において、各種のアプリケーションプログラムに応じた文字入力処理が実行される都度、あるいは一定期間毎に実行されるもので、先ず、変換履歴データベース１３ｃ（図３参照）に記憶されている単語のうち、変換文字として所定回数（ここでは２回）以上選択された単語「だます」「怒る」が読み出されてリスト化され（ステップＡ１）、当該単語リストが無線通信部１６を介して通信ネットワークＮ上の類義語辞書サーバ３０へ送信される（ステップＡ２）。
【００３３】
すると、前記類義語辞書サーバ３０では、前記タブレット端末１０から送信された単語リストが受信され（ステップＢ１）、当該類義語辞書サーバ３０が有する類義語辞書から前記単語リスト内の各単語「だます」「怒る」に対応する類義語のデータ「嘘をつく、謀る、…」「腹が立つ、むかつく、…」が取得される（ステップＢ２）。本発明においては、類義語とは、大体同じ意味の単語や、類似した意味の言葉を含んでいる。
【００３４】
そして、前記類義語辞書から取得された類義語のデータは前記単語リストの受信元であるタブレット端末１０へ送信される（ステップＢ３）。
【００３５】
タブレット端末１０において、前記類義語辞書サーバ３０から送信された類義語のデータ「嘘をつく、謀る、…」「腹が立つ、むかつく、…」が受信されると（ステップＡ３）、前記送信された単語リストの各単語「だます」「怒る」と対応付けられて、図４に示すように、類義語変換テーブル１３ｄが生成あるいは更新される（ステップＡ４）。
【００３６】
このタブレット端末１０と外部の類義語辞書サーバ３０あるいは電子辞書２０との間での類義語取得処理により、当該タブレット端末１０はデータ量の多い類義語辞書を辞書データベース１３ｂ内に備えることなく、過去に変換文字として選択された回数が所定回数以上の単語に対応した類義語を取得し、その変換テーブル１３ｄを生成できる。
【００３７】
図６は、前記タブレット端末１０による文章入力処理を示すフローチャートである。
【００３８】
図７は、前記タブレット端末１０の文章入力処理に伴う文字入力画面１１ａでの表示動作を示す図である。
【００３９】
任意のアプリケーションプログラムの実行に伴い文章を入力するための文字入力処理が起動されると、図１で示したように、タッチパネル付き表示部１１の文字入力画面１１ａに入力キーボード１１ｂが表示される。
【００４０】
入力キーボード１１ｂのタッチ操作により、例えば図７（Ａ）に示すように、新たな文字「おこ」が入力されると（ステップＳ１）、入力された文字「おこ」そのものが文字入力画面１１ａに未確定文字ｈ１として識別表示されると共に、当該入力された文字「おこ」に対応して辞書データベース１３ｂから変換候補の単語「起こ」「怠る」「行い」「お好み焼き」「怒る」…が検索されて予測変換され（ステップＳ２）、文字入力画面１１ａと入力キーボード１１ｂとの間の候補表示エリア１１ｃに一覧表示される（ステップＳ３）。
【００４１】
この候補表示エリア１１ｃに一覧表示された変換候補の単語のうち、例えば、入力したい意味合いの単語が「怒る」であっても別の言い回しの語句を見つけたい場合に、図７（Ｂ）に示すように、当該入力したい意味合いの単語「怒る」が１回タッチ（シングルタッチ）されて指定され識別表示ｈ２されると（ステップＳ４（Ｙｅｓ））、類義語変換テーブル１３ｄに基づき、前記指定の単語「怒る」に対応する類義語があるか否か判断される（ステップＳ５）。
【００４２】
ここで、前記類義語変換テーブル１３ｄ（図４参照）に基づき、前記指定の単語「怒る」に対応する類義語「腹が立つ」「むかつく」…があると判断されると（ステップＳ５（Ｙｅｓ））、当該「怒る」の類義語「腹が立つ」「むかつく」…が読み出され、前記候補表示エリア１１ｃ内にウインドウ表示される類義語表示エリア１１ｃ′に一覧表示される（ステップＳ６）。
【００４３】
この類義語表示エリア１１ｃ′に一覧表示された類義語のうち、前記「怒る」とは別の言い回しの類義語「雷を落とす」ｈ２′が２回タッチされて選択されると（ステップＳ７（Ｙｅｓ））、前記文字入力画面１１ａにて未確定文字ｈ１として識別表示されていた文章中の文字「おこ」に代えて、図７（Ｃ）に示すように、前記選択された類義語「雷を落とす」ｈ２′が入力されて表示される（ステップＳ８）。
【００４４】
この際、前記文字入力画面１１ａから候補表示エリア１１ｃと類義語表示エリア１１ｃ′が消去される。
【００４５】
すると、前記選択されて入力確定された類義語「雷を落とす」が、前記変換履歴データベース１３ｃ（図３参照）に登録され、その選択回数が新規にまたは更新されて設定される（ステップＳ９）。
【００４６】
一方、前記図７（Ａ）で示したように、入力キーボード１１ｂからの文字入力に応じて表示された候補表示エリア１１ｃにおいて（ステップＳ１〜Ｓ３）、所望の変換候補の単語「怒る」が２回タッチ（ダブルタッチ）されて選択されると（ステップＳ１０（Ｙｅｓ））、前記文字入力画面１１ａにて未確定文字ｈ１として識別表示されていた文章中の文字「おこ」に代えて、前記選択された変換候補の単語「怒る」が入力されて表示される（ステップＳ１１）。
【００４７】
すると、前記選択されて入力確定された単語「怒る」が、前記変換履歴データベース１３ｃ（図３参照）に登録され、その選択回数が新規にまたは更新されて設定される（ステップＳ１２）。
【００４８】
なお、前記図７（Ａ）で示したように、入力キーボード１１ｂからの文字入力に応じた変換候補の単語が候補表示エリア１１ｃに表示された状態で（ステップＳ１〜Ｓ３）、さらに追加の文字が入力されると、当該追加の文字を含めた未確定文字ｈ１に応じて新たな変換候補の単語が検索され前記候補表示エリア１１ｃに一覧表示される（ステップＳ４（Ｎｏ）→Ｓ１０（Ｎｏ）→Ｓ１〜Ｓ３）。
【００４９】
したがって、前記構成の文字入力システムによるタブレット端末１０の文字入力機能によれば、ユーザが入力したい語句の読みを入力キーボード１１ｂから一文字ずつ入力して行くと、入力された文字からなる未確定文字ｈ１に対応した読みを有する単語が変換候補の単語として辞書データベース１３ｂから読み出されて予測変換され候補表示エリア１１ｃに一覧表示される。そして、一覧表示された変換候補の単語のうち、入力したい語句の意味合いに近く且つ別の言い回しで入力したい単語がワンタッチで指定されると、当該指定の単語に対応する類義語の一覧が類義語表示エリア１１ｃ′に一覧表示される。この一覧表示された類義語の中から入力したい類義語ｈ２′が選択されると、選択された類義語ｈ２′が前記入力された未確定文字ｈ１に代えて入力表示される。
【００５０】
このため、文字入力に応じて予測変換する際に、類義語も変換候補として表示させることが可能になり、ユーザが入力したいより適切な語句を簡単に選択して入力できる。
【００５１】
また、前記構成の文字入力システムによるタブレット端末１０の文字入力機能によれば、過去の文字入力に際して、変換候補の中から選択されてその変換が確定された単語とその選択回数が記憶される変換履歴データベース１３ｃを有する。この変換履歴データベース１３ｃの選択回数が所定回数以上となった単語を対象に、外部の電子辞書２０または類義語辞書サーバ３０にアクセスされ、当該単語に対応する類義語が取得され類義語変換テーブル１３ｄが生成される。そして、前記入力文字に対応して候補表示エリア１１ｃに一覧表示された変換候補の単語を指定した際に、当該指定の単語に対応して類義語表示エリア１１ｃ′に一覧表示される類義語は、前記類義語変換テーブル１３ｄから読み出されて表示される。
【００５２】
このため、タブレット端末１０では、データ量の多い類義語辞書を辞書データベース１３ｂ内に備えることなく、使用履歴のある単語に対応した類義語を取得して活用できる。
【００５３】
なお、前記各実施形態において記載した文字入力システムのタブレット端末１０による各処理の手法およびデータベース、すなわち、図５のフローチャートに示す、タブレット端末１０から類義語辞書サーバ３０（又は電子辞書２０）へアクセスして実行する類義語取得処理、図６のフローチャートに示す文章入力処理などの各手法および辞書データベース１３ｂ等を含むデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１４に格納して配布することができる。そして、タッチパネル付き表示部１１を備えた電子機器のコンピュータは、この外部記録媒体１４に記録されたプログラムを記憶装置１３に読み込み、この読み込んだプログラムによって動作が制御されることにより、前記各実施形態において説明した類義語取得機能や類義語を予測変換可能な文章入力機能を実現し、前述した手法による同様の処理を実行することができる。
【００５４】
また、前記各手法を実現するためのプログラムのデータは、プログラムコードの形態としてネットワークＮ上を伝送させることができ、このプログラムデータを、タッチパネル付き表示部１１を備えた電子機器のコンピュータに通信部１６（１７）によって取り込むことで、前述した類義語取得機能や類義語を予測変換可能な文章入力機能を実現することもできる。
【００５５】
なお、前記文字入力装置の実施形態では、タブレット端末１０が有する辞書データベース１３ｂ、変換履歴データベース１３ｃ、類義語変換テーブル１３ｄに基づいて、当該タブレット端末１０の単体にて文章入力処理を実行する構成とした。
【００５６】
これに対し、ユーザが操作する端末側には特別な機能を持たせず、当該端末から通信可能なネットワーク（クラウドシステム）Ｎ上のサーバ装置において、辞書データベース１３ｂ、変換履歴データベース１３ｃ、類義語変換テーブル１３ｄあるいは類義語辞書３０を持たせる。そして、サーバ装置により、前記端末側での文字入力に応答して辞書データベース１３ｂから検索した候補単語の一覧１１ｃを同端末に送信して表示させた後、その候補単語の指定に応答して類義語変換テーブル１３ｄあるいは類義語辞書３０から読み出した類義語の一覧１１ｃ′を同端末に送信して表示させる構成とてもよい。
【００５７】
これによれば、特別な機能を持たない端末であっても、前記サーバ装置へアクセスすることで、前記各実施形態と同様に、文字入力に応じた予測変換に伴い、類義語も変換候補として表示させることが可能になり、ユーザが入力したいより適切な語句を簡単に選択して入力できる。
【００５８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００５９】
以下に、本願出願の当初の特許請求の範囲に記載された発明を付記する。
【００６０】
［１］
文字入力手段と、
この文字入力手段により入力された文字を表示部に表示させる入力文字表示制御手段と、
前記文字入力手段により入力された文字に対応した変換候補の語を前記表示部に表示させる候補表示制御手段と、
この候補表示制御手段により表示された変換候補の語がユーザ操作に応じて指定された際に、当該指定の語に対応した類義語を前記表示部に表示させる類義語表示制御手段と、
この類義語表示制御手段により表示された類義語がユーザ操作に応じて選択された際に、当該選択された類義語を前記入力文字表示制御手段により前記表示部に表示された文字に代えて表示させる変換類義語表示制御手段と、
を備えたことを特徴とする文字入力装置。
【００６１】
［２］
前記候補表示制御手段により表示された変換候補の語がユーザ操作に応じて選択された際に、当該選択された語を前記入力文字表示制御手段により前記表示部に表示された文字に代えて表示させる変換語表示制御手段を備えた、
ことを特徴とする［１］に記載の文字入力装置。
【００６２】
［３］
前記候補表示制御手段により表示された変換候補の語がユーザ操作に応じて選択された際には当該選択された語を、前記類義語表示制御手段により表示された類義語がユーザ操作に応じて選択された際には当該選択された類義語を、それぞれ変換履歴として記憶する変換履歴記憶手段と、
この変換履歴記憶手段により記憶された語、類義語に基づいて、当該語に対応した類義語を取得する類義語取得手段とを備え、
前記類義語表示制御手段は、前記候補表示制御手段により表示された変換候補の語がユーザ操作に応じて指定された際に、当該指定の語に対応した類義語を前記類義語取得手段により取得された類義語の中から読み出して前記表示部に表示させる、
ことを特徴とする［２］に記載の文字入力装置。
【００６３】
［４］
前記類義語表示制御手段は、前記候補表示制御手段により表示された変換候補の語がユーザ操作に応じて指定された際に、当該指定の語に対応した類義語を、前記変換候補の表示エリア内にウインドウにして表示させる、
ことを特徴とする［１］ないし［３］の何れかに記載の文字入力装置。
【００６４】
［５］
前記候補表示制御手段は、入力された文字に対して予測変換を行い、予測変換候補の語を前記表示部に表示させることを特徴とする［１］ないし［４］の何れかに記載の文字入力装置。
【００６５】
［６］
文字入力手段と表示部を有する電子機器のコンピュータを制御するためのプログラムであって、
前記コンピュータを、
前記文字入力手段により入力された文字を表示部に表示させる入力文字表示制御手段、
前記文字入力手段により入力された文字に対応した変換候補の語を前記表示部に表示させる候補表示制御手段、
この候補表示制御手段により表示された変換候補の語がユーザ操作に応じて指定された際に、当該指定の語に対応した類義語を前記表示部に表示させる類義語表示制御手段、
この類義語表示制御手段により表示された類義語がユーザ操作に応じて選択された際に、当該選択された類義語を前記入力文字表示制御手段により前記表示部に表示された文字に代えて表示させる変換類義語表示制御手段、
として機能させるためのコンピュータ読み込み可能なプログラム。
【００６６】
［７］
文字入力手段と表示部を有する端末装置とネットワークを介して通信可能なサーバ装置であって、
前記端末装置の文字入力手段により入力された文字の受信に応答して、当該入力された文字に対応した変換候補の語を前記端末装置に送信して表示させる候補表示制御手段と、
この候補表示制御手段により前記端末装置にて表示された変換候補の語に対するユーザ操作の指定に応答して、当該指定の語に対応した類義語を前記端末装置に送信して表示させる類義語表示制御手段と、
を備えたことを特徴とするサーバ装置。
【符号の説明】
【００６７】
１０  …タブレット端末
１１  …タッチパネル付き表示部
１１ａ…文字入力画面
１１ｂ…入力キーボード
１１ｃ…候補表示エリア
１２  …ＣＰＵ
１３  …記憶装置
１３ａ…端末制御プログラム
１３ｂ…辞書データベース
１３ｃ…変換履歴データベース
１３ｄ…類義語変換テーブル
１４  …外部記録媒体
１５  …記録媒体読取部
１６  …無線通信部
１７  …有線通信部
１８  …ＲＡＭ
１８ａ…表示データメモリ
１８ｂ…文章データメモリ
２０  …電子辞書
３０  …Ｗｅｂサーバ（類義語辞書サーバ）
Ｎ    …通信ネットワーク
【図１】
0005850014.tif 000002
【図２】
0005850014.tif 000003
【図３】
0005850014.tif 000004
【図４】
0005850014.tif 000005
【図５】
0005850014.tif 000006
【図６】
0005850014.tif 000007
【図７】
0005850014.tif 000008